(57)【要約】【課題】  飲料水を入れる為のポリタンクであって、大きく重いポリタンクを持ち上げないで収容した水を使うことが出来るポリタンクの提供。【解決手段】  ポリタンクＡのタンク本体１の上端面には持ち手２、及び入口穴５と出口穴６を有し、入口穴５及び出口穴６にはキャップ３，４を取付け、そして出口穴６は一方側表面１０に面して設けることで、キャップ４を取外した出口穴６に開閉弁１１を取付けて開くならば、ほぼ全部の水が流れ出る。【選択図】    図１
2015098326.tif 000002
【特許請求の範囲】
【請求項１】
飲料水を入れる為のポリタンクにおいて、該ポリタンクのタンク本体の上端面には持ち手と水の出し入れをする穴を有し、該穴にはキャップを取付け、そして穴は一方側表面に面して設け、該穴と反対側にはキャップを取付けた空気穴を備えたことを特徴とするポリタンク。
【請求項２】
上記穴として入口穴と出口穴を有し、入口穴はタンク本体の中立面に位置し、出口穴は一方側表面に面して設けた請求項１記載のポリタンク。
【請求項３】
上記タンク本体の一方側表面には凹部を設け、他方側表面には凸部を形成し、複数のポリタンクを積み重ねた場合には凹部に凸部が嵌合するようにした請求項１、又は請求項２記載のポリタンク。
【請求項４】
収容した水が流れ出る穴のキャップを取外して開閉弁を取付けた請求項１、請求項２、又は請求項３記載のポリタンク。
【請求項５】
複数のポリタンクを積み重ねた給水装置において、各ポリタンクをホースにて連結し、そして最下段の出口穴には開閉弁を取付け、最上段のポリタンクに入れた水は上記ホースを介して下段のポリタンクへ流れ落ち、最下段のポリタンクに取付けた開閉弁から流れ出るようにしたことを特徴とする給水装置。
【請求項６】
最上端のポリタンク表面に水を供給す開口を設けた請求項５記載の給水装置。
【発明の詳細な説明】
【技術分野】
【０００１】
本発明は主として飲料水を収容し、この飲料水を使う場合の利便性を考慮したポリタンク及び複数のポリタンクを積み重ねた給水装置に関するものである。
【背景技術】
【０００２】
近年、ポリタンクは各種液体を収容する容器として色々な分野で多用されている。該ポリタンクはその製造が簡単であると共にコストが安く、軽くてしかも大量の液体を収容することが出来、また耐久性に優れ、さらにポリタンクに収容して液体を一時的にストックする容器として、その利便性が高い等の効果がある。
【０００３】
該ポリタンクの最も一般的な用途としては、家庭用ストーブの燃料と成る灯油を保管する容器として多用されている。ガソリンスタンドにて灯油を購入する場合、容器として１８リットル入りのポリタンクが用いられ、このポリタンクに灯油を入れて家庭でストックし、該ポリタンクから石油ストーブに必要量を移し替えることが出来る。この移し替えには手動式ポンプ又は電動式ポンプが使用され灯油が入っている重いポリタンクを持ち上げることはない。
【０００４】
一方、家庭用ストーブの燃料となる灯油を収容する場合の他に、飲料水を収容する為に用いることも多い。全国各地には名水と呼ばれる有名な水が知られており、これらの水を求めて全国各地から訪れる人が多い。これらの人々は大きな１８リットルのポリタンクを車に載せて持ち運び、このポリタンクに水を一杯入れて持ち帰る。レストランなどを経営する人も、客に提供する水として水道水ではなく自然の名水を用いる場合が多く、この場合、ポリタンクに該名水を収容して持ち帰る。
【０００５】
近所の人であれば、時々汲みに来ることが出来ることから小さいポリ容器（例えば、１．８リットル容器）に水を汲み入れて持ち帰る場合もある。１．８リットルの小さいポリ容器であれば、手軽に使うことが出来るが、１８リットル入りの大きなポリタンクに入れた水を使う場合、簡単に手で持ち上げることは出来ず、例えば、コップに移す場合にしても非常に不便である。灯油を石油ストーブに移し替える際の手動式ポンプを使うことも出来ない。
【０００６】
図８は従来の一般的なポリタンク（イ）を示している。該ポリタンク（イ）はその上端２か所に穴を有し、一方の穴はポリタンク（イ）に水を入れる際に使用され、他方の穴は収容した水を使う際に用いることが出来る。そして、一方の穴にはキャップ（ロ）が取付けられ、他方の穴にはジャバラ式のホース（ハ）を接続している。
【０００７】
そこで、上端に形成した持ち手（ニ）を握ってポリタンク（イ）を持ち上げて傾けるならば、上記ジャバラ式ホース（ハ）の先端から水は流れ出ることになる。しかし、１８リットル入りのポリタンク（イ）を持ち上げるにはかなりの力が必要であり、その為に老人や子供であれば大きなポリタンク（イ）に入った水を使うことは出来ない。
【０００８】
ところで、ポリタンクを利用した給水装置は色々知られている。例えば、特開平１０−１３１２４８号に係る「飲料水の備蓄方法及びその装置」は、災害に備える飲料水を確保するための方法と装置である。
蛇口と貯水タンクをホースで繋いで注水すれば、水はタンクを満して溢れてしまう。本発明は、この溢れる水を再びホースで蛇口に戻して日常の需要に供し、満水のタンクを着脱可能にすれば、災害時数日分の飲料水を被災者の手に委ねることが出来る。タンクの水は常に最新の水道水である。本発明の装置は簡単な配水具とポリタンクとホースだけで構成している。
【０００９】
また、実用新案登録第３０１９８１４号に係る「水タンク用キャップ」は、簡単な構造で使い勝手が良く、タンク内の水を極少量ずつ取出すことができると共に、タンク内の水を無駄なく使い切ることができる水タンク用のキャップである。
タンクの排出口側のキャップの中心部分に穴を穿ち（市販のポリタンクのキャップには添付された排出ホースを取付けるための挿入孔が開設されているので、これを利用しても良い。）、この穴に蛇口をパッキングを介して水密のためのシールを施して取り付ける。
【００１０】
このように、蛇口を取付けるならば、ポリタンクを持ち上げることなく収容している水を出すことが出来るが、残すことなく全て使い切ることが出来ない。
【特許文献１】特開平１０−１３１２４８号に係る「飲料水の備蓄方法及びその装置」
【特許文献２】実用新案登録第３０１９８１４号に係る「水タンク用キャップ」
【発明の開示】
【発明が解決しようとする課題】
【００１１】
このように１８リットル用の大きなポリタンクに水を満タンに入れた状態では重たくて持ち上げることは容易でなく、その為に、収容した水を使い難い。本発明が解決しようとする課題はこの問題点であり、収容した水を使う場合に大きくて重たいポリタンクを持ち上げることなく、収容した水をほぼ全て使うことが出来るようにしたポリタンク及び給水装置を提供する。
【課題を解決するための手段】
【００１２】
本発明に係るポリタンクは大きなものを対象とし、ただし、乗用車のトランクに載せて運ぶことが出来る大きさで、一般的には１８リットル用のポリタンクである。片手で手軽に持ち上げることが出来る小さいポリタンクの場合には、収容している水を使う場合に特別不便を感じない。そこで、大きくて重いポリタンクを持ち上げて出口穴から水を流し出すことは出来ない為に、本発明のポリタンクは横に倒した状態で収容した水が流れ出るようにしている。
【００１３】
そこで、出口穴には開閉弁を取付けて該弁を開くことで出口穴から水が流出する。ところで、該出口穴はポリタンクの表面（倒した状態での下面）側に設けていて、弁を開くことでポリタンク内のほぼ全ての水が流出するようにしている。ここで、上記開閉弁の具体的な構造に関しては限定しないことにし、ポリタンクの出口穴に着脱可能としている。
【００１４】
すなわち、ポリタンクにはその上端面に入口穴と出口穴を設け、この両穴を塞ぐ為のキャップ（蓋）を螺合して取付けている。そして、出口穴に取付けたキャップを取外して開閉弁を取付けることが出来る。
ただし、上記入口穴と出口穴の両方を設けることなく、出口穴のみ設けて該穴からポリタンクに水を充填することも可能である。そして、水が流出することでポリタンク内部が真空状態にならないように小さい空気穴を出口穴とは反対側に設け、該空気穴をキャップで塞いでいる。
【００１５】
一方、本発明のポリタンクは単独で使用することが出来るが、複数のポリタンクを積み重ねて給水装置として構成することも可能である。すなわち、個々のポリタンクの出口穴に開閉弁を取付けて収容した水を流し出すことが出来、また各ポリタンクの出口穴と入口穴をホースで連結して上方のポリタンクの水を下方のポリタンクへ流すようにすることも可能である。この場合には、最下段のポリタンクの出口穴にのみ開閉弁を取付ける。
【発明の効果】
【００１６】
このように、本発明のポリタンクは大きくて水を一杯に満たした状態では持ち上げることは容易でないが、横に倒した状態で使うことが出来る。すなわち、出口穴を塞いでいるキャップを取外して開閉弁を取付け、この開閉弁を開くことで収容している水は自然に流れ出ることが出来る。従って、水が入っている重いポリタンクを持ち上げる必要はなく、水道の蛇口を開くと同じようにポリタンクの水を手軽に使うことが出来る。
【００１７】
そして、出口穴はポリタンクの下面側に設けられており、開閉弁を開くことで収容しているほぼ全ての水を残すことなく使うことが可能となる。また、ポリタンクを横に倒して置くことで倒れることなく安定し、複数のポリタンクを積み上げて配置することも出来、例えば、一週間分の水をポリタンクに入れて準備することも可能となる。
特に、複数のポリタンクを積み重ねて給水装置を構成し、個々のポリタンクの出口穴と入口穴をホースで連結するならば、最下段のポリタンクにのみ開閉弁を取付けて全てのポリタンクの水を流し出すことが出来る。
【図面の簡単な説明】
【００１８】
【図１】本発明に係るポリタンクを示す外観図。
【図２】入口穴部の断面図。
【図３】出口穴部と空気穴部の断面図。
【図４】出口穴に開閉弁を取付けて横に転倒した状態。
【図５】本発明に係るポリタンクを示す他の実施例。
【図６】３個のポリタンクを積み重ねた状態。
【図７】３個のポリタンクを積み重ね、個々のポリタンクをホースで連結した状態。
【図８】従来のポリタンクを示す外観図。
【発明を実施するための形態】
【００１９】
図１は本発明に係るポリタンクを示す実施例であり、その基本的な形態は従来のポリタンクと共通している。同図において、１は直方体をしたタンク本体、２は上端面に設けた持ち手、３は入口穴用キャップ、４は出口穴用キャップをそれぞれ表している。直方体をした上記タンク本体１は、その各コーナーは角張らないように丸みを有して、接しても怪我することはない。
【００２０】
ところで、タンク本体１には水を収容するが、上端面に設けている入口穴用キャップ３を取外して入口穴から入れることが出来る。そして、収容した水を使う場合には、出口穴用キャップ４を取外して流し出す。図１の入口穴部の断面拡大図を図２に示すように、入口穴５はタンク本体１の中立面に設けられ、また図１の出口穴部の断面拡大図を図３に示すように、出口穴６はタンク本体１の表面側に設けている。すなわち、入口穴５のようにタンク本体１の中立面に位置していない。そして、出口穴６とは反対側には小さい空気穴８を設け、該空気穴８を塞ぐ為に空気穴用キャップ９が取付けられている。
【００２１】
ポリタンクはその上端面に持ち手２を有していることから、該持ち手２を握って持ち運び、底面７を下にして車に載せたり、適当な場所に置くことが出来る。そして、ポリタンクに水を一杯に収容してこの水を使う際には、出口穴６が下側に成るように表面１０を下にした状態で該ポリタンクを配置する。このような状態にして配置することで、出口穴６からは水がほぼ全て流出し、タンク本体１に残らないようになる。
【００２２】
勿論、上記出口穴６には水道の蛇口のような開閉弁を取付け、その為に出口穴用のキャップ４は取外される。ポリタンクを起立した状態で出口穴用キャップ４を外して開閉弁を取付け、その後で表面１０を下にして倒すことになる。該開閉弁を開くならば、水は開閉弁から水が流出し、炊事に使ったり、又は手洗いに使うことが出来、水道の蛇口を開いて水道水を使用する場合と同じである。
【００２３】
図４は上記出口穴用キャップ４を取外して開閉弁１１を取付けた場合を示し、ポリタンクは倒れている。そこで、ツマミ１２を回して開閉弁１１を開くならば水が流れ出るようになるが、該開閉弁１１の下側に何らかの容器（例えばコップ）を置いて入れる為には、該ポリタンクを所定の高さの台の上に載置し、開閉弁１１を開くことで流れ出る水を入れることが出来るようにする。ここで、水が流れ出ることでタンク本体１の内部は真空状態にならないように、空気穴用キャップ９を僅かに緩めておく。
【００２４】
図５は本発明に係るポリタンクを示す他の実施例である。該ポリタンクの出口穴４は前記図１に示すように一方側表面１０に面して設けているが、該表面１０は重ねることが出来るように凹部と凸部を形成している。すなわち、一方側表面１０には凹部１３を有し、他方側表面には凸部を設けている。従って、複数のポリタンクを重ねる場合、下側ポリタンクの凸部に上側ポリタンクの凹部１３が嵌合して位置ズレすることはない。そして、図５に示すポリタンクには入口穴を設けておらず、出口穴８を利用してポリタンクに水を充填すると共に該出口穴８から収容した水を流し出すことが出来る。
【００２５】
図６は複数のポリタンクを積み重ねた場合を示している。最下端には載置台１４が置かれ、この載置台１４に水が一杯に入った３個のポリタンクＡ１，Ａ２，Ａ３を積み重ねている。そこで、このポリタンクＡ１，Ａ２，Ａ３の水を使う場合には、上段のポリタンクＡ３から使用して下段のポリタンクＡ１に負担がかからないようにする。飲食店やレストランなどでは、客に提供する為に多くの水を使うことになるが、ポリタンクＡに名水を収容して提供することでその効果は大きい。
【００２６】
そして、１８リットル入りのポリタンクＡはその収容量が大きく、その為にレストラン等で客に出す水を入れるストック容器として使用する場合にも十分対応可能となる。また、従来のように起立した状態でなく、倒した状態で配置することで、転倒する虞がなく安定して設置される。
【００２７】
図７は３個のポリタンクＡ１，Ａ２，Ａ３を積み重ねて個々のポリタンクＡ１，Ａ２，Ａ３をホース１５，１５で連結した場合を示す給水装置の実施例である。ポリタンクＡ１の入口穴５とポリタンクＡ２の出口穴６はジャバラホース１５によって連結され、またポリタンクＡ２の入口穴５とポリタンクＡ３の出口穴６とはジャバラホース１５によって連結されている。
【００２８】
そして、最下段のポリタンクＡ１の出口穴６には開閉弁１１が取付けられ、この開閉弁１１のツマミ１２を回して開くならばポリタンクＡ１の水は流出することが出来る。各ポリタンクＡ１，Ａ２，Ａ３はジャバラホース１５，１５にて連結されていることで、上段のポリタンクの水が下段のポリタンクへ流れ込むことが出来る。従って、最下段のポリタンクＡ１が空になったならば、最上端のポリタンクＡ３の入口穴５から給水することで全てのポリタンクＡ１，Ａ２，Ａ３は満タンとなる。
【００２９】
ここで、最上段のポリタンクＡ３への給水方法は特に限定しないが、前記図８に示した従来のポリタンクを用いて入口穴５から給水することが出来る。また、最上端のポリタンクＡ３には上記入口穴５ではなく、上面１６の中央に大きな開口を設けておき、この開口から給水することも可能である。
ところで、上記ジャバラホース１５はその両先端にキャップ１７，１８を取付け、キャップ１７は出口穴６に螺合して連結し、キャップ１８は入口穴５に螺合して連結することが出来る。
【符号の説明】
【００３０】
１   タンク本体
２   持ち手
３   入口穴用キャップ
４   出口穴用キャップ
５   入口穴
６   出口穴
７   底面
８   空気穴
９   空気穴用キャップ
10   表面
11   開閉弁
12   ツマミ
13   凹部
14   載置台
15   ジャバラホース
16   上面
17   キャップ
18   キャップ
【図１】
2015098326.tif 000003
【図２】
2015098326.tif 000004
【図３】
2015098326.tif 000005
【図４】
2015098326.tif 000006
【図５】
2015098326.tif 000007
【図６】
2015098326.tif 000008
【図７】
2015098326.tif 000009
【図８】
2015098326.tif 000010